(57)【要約】【課題】筐体を開いた際に主表示器と一緒に補助表示器を視認できると共に、筐体を閉じた際にも補助表示器を視認でき、且つ筐体を閉じて机の上等に置いた状態での補助表示器の視認性をも良好とし得る携帯端末装置を提供する。【解決手段】筐体２を開いた際には表示面６ａが上部筐体２ａの表面に露出され且つ筐体２を閉じた際には表示面６ａが上部筐体２ａの背面に露出されるよう筐体２の開閉に連動して回動可能に配設される補助表示器６を、上部筐体２ａに埋め込む。【選択図】図１
2006203497.tif 000002
【特許請求の範囲】
【請求項１】
第一の筐体と、該第一の筐体に回動可能に連結されて第一の筐体に対し開閉可能とされた第二の筐体とを具備した携帯端末装置において、
筐体を開いた際に表示面が露出されるよう一方の筐体の表面に配設される主表示器と、
筐体を開いた際には表示面が前記一方の筐体の表面に露出され且つ筐体を閉じた際には表示面が前記一方の筐体の背面に露出されるよう筐体の開閉に連動して回動可能に配設される補助表示器と
を備えたことを特徴とする携帯端末装置。
【請求項２】
筐体を開いた際に表示面が一方の筐体の表面に露出される主表示器と補助表示器とを隣接配置するようにした請求項１記載の携帯端末装置。
【請求項３】
第一の筐体と第二の筐体とをヒンジ部を介して互いに回動自在に連結し、該ヒンジ部を構成するヒンジ筒内部の回転中心からずれた所要箇所にアームの一端を枢着し、該アームの他端にラック部材を枢着し、該ラック部材に噛合するピニオンを、補助表示器の側面における回動中心に一体に取り付けることにより、筐体の開閉動作と連動して、アームがヒンジ筒内部の枢着点を中心に回動し、該アームの他端に枢着されたラック部材がヒンジ部に対し近接・離反する方向へスライドしてピニオンを回転させ補助表示器を回動させるよう構成した請求項１又は２記載の携帯端末装置。
【請求項４】
筐体を開いた場合と閉じた場合とで補助表示器の表示内容を切り換えるようにした請求項１〜３いずれかに記載の携帯端末装置。
【請求項５】
筐体を開いた場合の補助表示器の表示内容を主表示器の表示内容に応じて変更するようにした請求項４記載の携帯端末装置。
【発明の詳細な説明】
【技術分野】
【０００１】
本発明は、携帯電話機やＰＨＳ等の移動通信機、或いはＰＤＡ（Personal Digital Assistant）や小型のノート型パソコンといった携帯端末装置に関するものである。
【背景技術】
【０００２】
近年、携帯電話機やＰＨＳ等の移動通信機、或いはＰＤＡや小型のノート型パソコンといった携帯端末装置が急速に普及してきているが、前記移動通信機においては、特に、デザイン面での美しさとコンパクト性を兼ね備えた折畳式の携帯端末装置への人気が高まっており、又、ＰＤＡや小型のノート型パソコンといった携帯端末装置においても折畳式のものが多い。
【０００３】
図８及び図９は従来の折畳式の携帯端末装置の一例を表わすものであって、１は携帯端末装置、２は携帯端末装置１の筐体であり、折畳式の携帯端末装置１は、筐体２を第一の筐体としての上部筐体２ａと第二の筐体としての下部筐体２ｂとに分割し、それらをヒンジ部３を介して開閉可能となるよう互いに回動自在に連結してなる構成を有している。
【０００４】
前記上部筐体２ａの表面には、図８に示される如く、比較的大きな液晶ディスプレイ（ＬＣＤ：Liquid Crystal Display）等の主表示器４が設けられる一方、前記下部筐体２ｂには、多数のキー５が配置され且つバッテリー（図示せず）が内蔵されている。
【０００５】
又、前記上部筐体２ａの背面には、図９に示される如く、比較的小さな液晶ディスプレイ等の補助表示器６が設けられている。
【０００６】
前述の如き携帯端末装置１においては、図８に示される如く、筐体２を開いた状態では、主表示器４に表示された内容をユーザーが確認でき、さまざまな情報が得られるようになっており、又、筐体２を閉じた状態では、補助表示器６に、例えば、時刻、受信電波強度、バッテリー残量、メール及び着信の有無等が表示され、ユーザーが筐体２を開かなくても、ある程度の必要な情報が確認できるようになっている。
【０００７】
しかし、この場合、前記主表示器４と補助表示器６とは、その表示面４ａ，６ａがそれぞれ上部筐体２ａの表面と背面とに相反する方向に向くように配設されているため、二つの表示器を備えながら、筐体２の開放時にも閉鎖時にも排他的にその一方しか利用することができず、表示デバイス活用の点で改良の余地が残されていた。
【０００８】
こうした不具合を解消するものとしては、従来、例えば、特許文献１に開示されたようなものが存在し、これは、図１０（ａ），（ｂ）に示される如く、ヒンジ部３に補助表示器６を筐体２の開閉に連動して回動可能に配設し、筐体２の開放状態で主表示器４と一緒に補助表示器６を視認できるようにすると共に、該補助表示器６を筐体２の閉鎖状態においても視認できるようにしたものである。
【特許文献１】特開２００３−１１０６７１号公報
【発明の開示】
【発明が解決しようとする課題】
【０００９】
しかしながら、図１０（ａ），（ｂ）に示されるような従来の携帯端末装置１では、ヒンジ部３に補助表示器６を配設しているため、特に、筐体２を閉じて机の上等に置いた状態での補助表示器６の視認性があまり良くないという欠点を有していた。
【００１０】
又、仮に前記筐体２を開いた場合と閉じた場合とで補助表示器６に、例えば、時刻、受信電波強度、バッテリー残量、メール及び着信の有無等を表示したのでは、通常、主表示器４にも同様の内容が表示されているため、主表示器４の表示と補助表示器６の表示がダブってしまう不具合があった。
【００１１】
本発明は、斯かる実情に鑑み、筐体を開いた際に主表示器と一緒に補助表示器を視認できると共に、筐体を閉じた際にも補助表示器を視認でき、且つ筐体を閉じて机の上等に置いた状態での補助表示器の視認性をも良好とし得る携帯端末装置を提供し、更に、主表示器の表示と補助表示器の表示の重複を回避し得、情報確認の効率向上並びに文字入力等の入力操作性向上を図り得る携帯端末装置を提供しようとするものである。
【課題を解決するための手段】
【００１２】
本発明は、第一の筐体と、該第一の筐体に回動可能に連結されて第一の筐体に対し開閉可能とされた第二の筐体とを具備した携帯端末装置において、
筐体を開いた際に表示面が露出されるよう一方の筐体の表面に配設される主表示器と、
筐体を開いた際には表示面が前記一方の筐体の表面に露出され且つ筐体を閉じた際には表示面が前記一方の筐体の背面に露出されるよう筐体の開閉に連動して回動可能に配設される補助表示器と
を備えたことを特徴とする携帯端末装置にかかるものである。
【００１３】
前記携帯端末装置においては、筐体を開いた際に表示面が一方の筐体の表面に露出される主表示器と補助表示器とを隣接配置することが、二つの表示器を同時に視認する上で好ましい。
【００１４】
又、前記第一の筐体と第二の筐体とをヒンジ部を介して互いに回動自在に連結し、該ヒンジ部を構成するヒンジ筒内部の回転中心からずれた所要箇所にアームの一端を枢着し、該アームの他端にラック部材を枢着し、該ラック部材に噛合するピニオンを、補助表示器の側面における回動中心に一体に取り付けることにより、筐体の開閉動作と連動して、アームがヒンジ筒内部の枢着点を中心に回動し、該アームの他端に枢着されたラック部材がヒンジ部に対し近接・離反する方向へスライドしてピニオンを回転させ補助表示器を回動させるよう構成することができる。
【００１５】
一方、前記筐体を開いた場合と閉じた場合とで補助表示器の表示内容を切り換えるようにすることができる。
【００１６】
又、前記筐体を開いた場合の補助表示器の表示内容を主表示器の表示内容に応じて変更すると、例えば、主表示器でのウェブ閲覧時に、補助表示器に天気予報やトップニュース等の情報を表示したり、或いは、メール作成時やアドレス帳登録時等に、主表示器に本文等を表示した状態で、補助表示器に漢字の変換候補を表示したりすることが可能となり、主表示器の表示と補助表示器の表示がダブることが避けられ、限られたスペースの中で表示面積を拡張可能となり、情報確認を効率良く行えると共に、文字入力等の入力操作も行いやすくなり、極めて有効となる。
【発明の効果】
【００１７】
本発明の携帯端末装置によれば、筐体を開いた際に主表示器と一緒に補助表示器を視認できると共に、筐体を閉じた際にも補助表示器を視認でき、且つ筐体を閉じて机の上等に置いた状態での補助表示器の視認性をも良好とし得るという優れた効果を奏し得る。
【発明を実施するための最良の形態】
【００１８】
以下、本発明の実施の形態を添付図面を参照して説明する。
【００１９】
図１〜図７は本発明を実施する形態の一例であって、図中、図８〜図１０と同一の符号を付した部分は同一物を表わしており、筐体２を開いた際には表示面６ａが上部筐体２ａの表面に露出され且つ筐体２を閉じた際には表示面６ａが上部筐体２ａの背面に露出されるよう筐体２の開閉に連動して回動可能に配設される補助表示器６を、上部筐体２ａに埋め込むようにしたものである。
【００２０】
前記補助表示器６は、筐体２を開いた際に表示面４ａが上部筐体２ａの表面に露出される主表示器４の下側に隣接配置するようにしてある。
【００２１】
前記補助表示器６を筐体２の開閉に連動して回動させるための駆動機構７は、図２、図４、及び図５（ａ），（ｂ）に示す如く、ヒンジ部３を構成するヒンジ筒３ａ内部の回転中心からずれた所要箇所にアーム８の一端を枢着し、該アーム８の他端にラック部材９を枢着し、該ラック部材９に噛合するピニオン１０を、補助表示器６の側面における回動中心に一体に取り付けてなる構成を有しており、これにより、図５（ａ），（ｂ）に示す如く、筐体２の開閉動作と連動して、アーム８がヒンジ筒３ａ内部の枢着点Ｏを中心に回動し、該アーム８の他端に枢着されたラック部材９がヒンジ部３に対し近接・離反する方向へスライドしてピニオン１０を回転させるようにしてある。
【００２２】
尚、図示していないが、前記補助表示器６と基板とを接続するケーブルには、ゼンマイバネ状に巻かれたフレキシブルケーブルを使用し、筐体２の開閉に連動する補助表示器６の回動動作を、フレキシブルケーブルがその巻回方向へ締め込まれる変形と、逆に緩められる方向への変形とによって、吸収できるようにしてある。
【００２３】
又、前記補助表示器６の表示内容については、筐体２を開いた場合に主表示器４の表示内容に応じて、例えば、図６に示す如く、主表示器４でのウェブ閲覧時には、補助表示器６に天気予報やトップニュース等の情報を表示したり、或いは、図７に示す如く、メール作成時やアドレス帳登録時等には、主表示器４に本文等を表示した状態で、補助表示器６に漢字の変換候補を表示するようにしてある。尚、前記筐体２を閉じた状態では、特に図示していないが、従来と同様に、例えば、時刻、受信電波強度、バッテリー残量、メール及び着信の有無等を補助表示器６に表示するようにしてある。
【００２４】
次に、上記図示例の作用を説明する。
【００２５】
補助表示器６は、図１及び図５（ａ）に示す如く、筐体２を開いた際にはその表示面６ａが上部筐体２ａの表面に露出されているが、この状態から筐体２を閉じて行くと、上部筐体２ａのヒンジ部３を中心とした回動と連動する形で、アーム８がヒンジ筒３ａ内部の枢着点Ｏを中心に回動し、該アーム８の他端に枢着されたラック部材９がヒンジ部３から離反する方向へスライドしてピニオン１０を回転させ、該ピニオン１０と一体の補助表示器６が上部筐体２ａに対して略１８０度回動するため、図３及び図５（ｂ）に示す如く、筐体２を閉じた際には前記補助表示器６の表示面６ａが上部筐体２ａの背面に露出される形となる。
【００２６】
そして、前記補助表示器６は、筐体２を開いた際に表示面４ａが上部筐体２ａの表面に露出される主表示器４の下側に隣接配置するようにしてあるため、視線をあまり大きく移動させることなく、二つの表示器を同時に視認することが可能となる。
【００２７】
又、図１０（ａ），（ｂ）に示されるような従来の携帯端末装置１とは異なり、ヒンジ部３に補助表示器６を配設していないため、特に、筐体２を閉じて机の上等に置いた状態でも補助表示器６の視認性が良くなる（図３参照）。
【００２８】
更に又、仮に前記筐体２を開いた場合と閉じた場合とで補助表示器６の表示内容を切り換えずに、例えば、時刻、受信電波強度、バッテリー残量、メール及び着信の有無等を補助表示器６に表示したのでは、通常、主表示器４にも同様の内容が表示されているため、主表示器４の表示と補助表示器６の表示がダブってしまうことになるが、前記筐体２を開いた場合の補助表示器６の表示内容を主表示器４の表示内容に応じて、例えば、図６に示す如く、主表示器４でのウェブ閲覧時に、補助表示器６に天気予報やトップニュース等の情報を表示したり、或いは、図７に示す如く、メール作成時やアドレス帳登録時等に、主表示器４に本文等を表示した状態で、補助表示器６に漢字の変換候補を表示したりすると、主表示器４の表示と補助表示器６の表示がダブることが避けられ、限られたスペースの中で表示面積を拡張可能となり、情報確認を効率良く行えると共に、文字入力等の入力操作も行いやすくなり、極めて有効となる。
【００２９】
こうして、筐体２を開いた際に主表示器４と一緒に補助表示器６を視認できると共に、筐体２を閉じた際にも補助表示器６を視認でき、且つ筐体２を閉じて机の上等に置いた状態での補助表示器６の視認性をも良好とし得る。更に、主表示器４の表示と補助表示器６の表示の重複を回避し得、情報確認の効率向上並びに文字入力等の入力操作性向上をも図り得る。
【００３０】
尚、本発明の携帯端末装置は、上述の図示例にのみ限定されるものではなく、補助表示器６を必要に応じて手動で回転させるようにしても良いこと等、その他、本発明の要旨を逸脱しない範囲内において種々変更を加え得ることは勿論である。
【図面の簡単な説明】
【００３１】
【図１】本発明を実施する形態の一例を示す斜視図であって、（ａ）は筐体を開いた状態での表面側を示す斜視図、（ｂ）は筐体を開いた状態での背面側を示す斜視図である。
【図２】本発明を実施する形態の一例において、筐体を開いた状態での背面側を示す一部破断斜視図である。
【図３】本発明を実施する形態の一例において、筐体を閉じた状態を示す斜視図である。
【図４】本発明を実施する形態の一例において、筐体を閉じた状態での背面側を示す一部破断斜視図である。
【図５】本発明を実施する形態の一例を示す側断面図であって、（ａ）は筐体を開いた状態を示す側断面図、（ｂ）は筐体を閉じた状態を示す側断面図である。
【図６】本発明を実施する形態の一例において、主表示器でのウェブ閲覧時に、補助表示器に天気予報等の情報を表示した状態を示す正面図である。
【図７】本発明を実施する形態の一例において、メール作成時等に、主表示器に本文等を表示した状態で、補助表示器に漢字の変換候補を表示した状態を示す正面図である。
【図８】従来の折畳式の携帯端末装置の一例において、筐体を開いた状態を示す斜視図である。
【図９】従来の折畳式の携帯端末装置の一例において、筐体を閉じた状態を示す斜視図である。
【図１０】従来の折畳式の携帯端末装置の他の例を示す斜視図であって、（ａ）は筐体を開いた状態を示す斜視図、（ｂ）は筐体を閉じた状態を示す斜視図である。
【符号の説明】
【００３２】
１    携帯端末装置
２    筐体
２ａ  上部筐体（第一の筐体）
２ｂ  下部筐体（第一の筐体）
３    ヒンジ部
３ａ  ヒンジ筒
４    主表示器
４ａ  表示面
６    補助表示器
６ａ  表示面
７    駆動機構
８    アーム
９    ラック部材
１０    ピニオン
Ｏ    枢着点
【図１】
2006203497.tif 000003
【図２】
2006203497.tif 000004
【図３】
2006203497.tif 000005
【図４】
2006203497.tif 000006
【図５】
2006203497.tif 000007
【図６】
2006203497.tif 000008
【図７】
2006203497.tif 000009
【図８】
2006203497.tif 000010
【図９】
2006203497.tif 000011
【図１０】
2006203497.tif 000012